(57)【要約】【課題】より高度な偽造防止技術が求められていた。【解決手段】レーザ光線を生成し、ドットマトリクス状の多数の領域３１別に略並行とされた干渉縞の向きをそれぞれ所定の角度としたパターンを基準として、暗号データに応じて同干渉縞の向きを同所定の角度から変更したパターンを同レーザ光線により所定の記録媒体に形成してホログラム記録体３０を作製し、同ホログラム記録体３０から領域３１別に干渉縞の向きを検出し、検出した干渉縞の向きと上記暗号データとに基づいてホログラム記録体３０が偽造されているか否かを検出する構成とした。目視では容易に分からないような偽造が行われていても、ホログラム記録体３０に記録された干渉縞の向きと暗号データとに基づいて偽造されているか否かを検出することができるので、より高精度に偽造を検出することが可能となる。【選択図】　図１
2004086098.tif 000002
【特許請求の範囲】
【請求項１】
レーザ光線を生成し、ドットマトリクス状の多数の領域別に略並行とされた干渉縞の向きをそれぞれ所定の角度としたパターンを基準として、暗号データに応じて同干渉縞の向きを同所定の角度から変更したパターンを同レーザ光線により形成してホログラム記録体を作製するホログラム記録体作製装置と、
作製されたホログラム記録体から上記領域別に上記干渉縞の向きを検出し、検出した干渉縞の向きと上記暗号データとに基づいて同ホログラム記録体が偽造されているか否かを検出する偽造検出装置とを具備することを特徴とする偽造防止システム。
【請求項２】
ドットマトリクス状の多数の領域別に略並行とされた干渉縞が形成されたホログラム記録体を利用して偽造防止を実現する偽造防止システムであって、当該偽造防止システムは、ホログラム記録体作製装置と、偽造検出装置とから構成され、
上記ホログラム記録体作製装置は、
レーザ光線を生成し、所定の記録媒体に同レーザ光線を照射するとともに上記領域別に角度を調整しながら上記干渉縞を形成して上記ホログラム記録体を作製する記録体作製手段と、
予め決められた暗号データを取得する暗号取得手段と、
取得された暗号データに基づいて上記干渉縞の向きを本来の角度から所定角度差となるように変更させる向き変更手段とを備え、
上記偽造検出装置は、
走査用レーザ光線を生成し、上記多数の領域に対して同走査用レーザ光線を照射して走査する走査手段と、
照射された走査用レーザ光線の反射光を受光して上記干渉縞の角度を検出する角度検出手段と、
検出された干渉縞の角度と上記本来の角度との差異に対応する復号データを取得する復号手段と、
取得された復号データと上記暗号データとを比較することにより、上記ホログラム記録体が偽造されているか否かを検出する記録体偽造検出手段とを備えることを特徴とする偽造防止システム。
【請求項３】
上記基準とされるパターンにおける上記領域別の干渉縞の向きは、いずれも所定の角度単位刻みとされた角度とされ、
上記ホログラム記録体作製装置は、上記暗号データに応じて上記干渉縞の向きを上記所定の角度単位刻みとされた角度とは異なる角度にしたパターンを形成してホログラム記録体を作製することを特徴とする請求項１に記載の偽造防止システム。
【請求項４】
上記暗号データは、２進数のデジタルデータとされ、
上記ホログラム記録体作製装置は、上記デジタルデータの各ビットのそれぞれを別の上記領域に対応させて上記干渉縞の向きを変更させることを特徴とする請求項１〜請求項３のいずれかに記載の偽造防止システム。
【請求項５】
上記ホログラム記録体作製装置は、上記デジタルデータの各ビットが０または１のいずれかであるときに上記干渉縞の向きを変更させることを特徴とする請求項４に記載の偽造防止システム。
【請求項６】
上記ホログラム記録体作製装置は、上記デジタルデータの各ビットが０である場合と１である場合とで異なる方向に上記干渉縞の向きを変更させることを特徴とする請求項４に記載の偽造防止システム。
【請求項７】
上記記録体作製手段は、上記記録媒体を支持してＸＹの二軸方向に移動させる駆動部を備え、
上記向き変更手段は、上記レーザ光線を透過光と反射光とに分けるビームスプリッターと、このビームスプリッターを回転させて上記反射光の進行方向を変更させるスプリッター回転部と、上記記録媒体における同透過光が照射される照射部位に進行方向が変更された反射光を照射させる重ね合わせ部とを備えることを特徴とする請求項２に記載の偽造防止システム。
【請求項８】
上記角度検出手段は、上記走査用レーザ光線の反射光を撮像してデジタルの画像データとして取得するＣＣＤ撮像器を有し、上記干渉縞の角度に対応して予め設けられた複数の基準画像データと同画像データとを比較して同画像データに最も近似する基準画像データに対応する角度を取得することを特徴とする請求項２または請求項７のいずれかに記載の偽造防止システム。
【請求項９】
ドットマトリクス状の多数の領域別に略並行とされた干渉縞の向きをそれぞれ所定の角度としたパターンを基準として、暗号データに応じて同干渉縞の向きを同所定の角度から変更したパターンをレーザ光線により形成してホログラム記録体を作製し、作製したホログラム記録体から上記領域別に上記干渉縞の向きを検出し、検出した干渉縞の向きと上記暗号データとに基づいて同ホログラム記録体が偽造されているか否かを検出することを特徴とする偽造防止方法。
【請求項１０】
ドットマトリクス状の多数の領域別に略並行とされた干渉縞が形成されたホログラム記録体を利用して偽造防止を実現する偽造防止方法であって、
所定の記録媒体にレーザ光線を照射するとともに上記領域別に角度を調整しながら上記干渉縞を形成して上記ホログラム記録体を作製し、予め決められた暗号データを取得し、当該暗号データに基づいて上記干渉縞の向きを本来の角度から所定角度差となるように変更させるホログラム記録体作製工程と、
上記多数の領域に対して走査用レーザ光線を照射して走査し、当該走査用レーザ光線の反射光を受光して上記干渉縞の角度を検出し、検出した干渉縞の角度と上記本来の角度との差異に対応する復号データを取得し、取得した復号データと上記暗号データとを比較することにより、上記ホログラム記録体が偽造されているか否かを検出する偽造検出工程とを備えることを特徴とする偽造防止方法。
【請求項１１】
ドットマトリクス状の多数の領域別に略並行とされた干渉縞がレーザ光線により形成されたホログラム記録体であって、
上記領域別に上記干渉縞の向きをそれぞれ所定の角度としたパターンを基準として、暗号データが検出可能となるように同暗号データに応じて同干渉縞の向きを同所定の角度から変更したパターンが形成されたことを特徴とするホログラム記録体。
【請求項１２】
所定の記録媒体にドットマトリクス状の多数の領域別に略並行とされた干渉縞を形成してホログラム記録体を作製するホログラム記録体作製装置であって、
レーザ光線を生成し、上記記録媒体に対して上記領域別に上記略並行とされた干渉縞を形成するように同レーザ光線を照射して上記ホログラム記録体を作製する記録体作製手段と、
上記領域別に上記干渉縞の向きをそれぞれ所定の角度としたパターンを基準として、暗号データが検出可能となるように同暗号データに応じて上記領域別に同干渉縞の向きを同所定の角度から変更させる向き変更手段とを具備することを特徴とするホログラム記録体作製装置。
【請求項１３】
所定の記録媒体にドットマトリクス状の多数の領域別に略並行とされた干渉縞を形成してホログラム記録体を作製するホログラム記録体作製方法であって、
上記記録媒体に対して上記領域別に上記略並行とされた干渉縞を形成するようにレーザ光線を照射して上記ホログラム記録体を作製するとともに、上記領域別に上記干渉縞の向きをそれぞれ所定の角度としたパターンを基準として暗号データが検出可能となるように同暗号データに応じて上記領域別に同干渉縞の向きを同所定の角度から変更させることを特徴とするホログラム記録体作製方法。
【請求項１４】
ドットマトリクス状の多数の領域別に略並行とされた干渉縞の向きをそれぞれ所定の角度としたパターンを基準として、暗号データに応じて同干渉縞の向きを同所定の角度から変更したパターンがレーザ光線により形成されたホログラム記録体から同領域別に同干渉縞の向きを検出する角度検出手段と、
検出された干渉縞の向きと上記暗号データとに基づいて、上記ホログラム記録体が偽造されているか否かを検出する偽造検出手段とを具備することを特徴とする偽造検出装置。
【請求項１５】
ドットマトリクス状の多数の領域別に略並行とされた干渉縞の向きをそれぞれ所定の角度としたパターンを基準として暗号データに応じて同干渉縞の向きを同所定の角度から変更したパターンがレーザ光線により形成されたホログラム記録体から同領域別に同干渉縞の向きを検出し、検出した干渉縞の向きと上記暗号データとに基づいて、上記ホログラム記録体が偽造されているか否かを検出することを特徴とする偽造検出方法。
【発明の詳細な説明】
【０００１】
【発明の属する技術分野】
本発明は、偽造防止システム、偽造防止方法、ホログラム記録体、ホログラム記録体作製装置、ホログラム記録体作製方法、偽造検出装置および偽造検出方法に関する。
【０００２】
【従来の技術】
従来、各種カード、通帳、身分証明書、等の偽造を防止するため、これらにホログラム記録体を形成することが行われている。ホログラム記録体を形成する装置としては、例えば、米国特許第６０４３９１３号明細書に記載された装置が知られている。同装置は、所定の記録媒体に、ドットマトリクス状の多数の領域別に干渉縞をレーザ光線により形成してホログラム記録体を作製している。ここで、領域別に干渉縞の向きをそれぞれ所定の角度とすることにより、複雑なパターンを形成している。そして、ホログラム記録体が形成されたカード等が偽造されているか否かを検査する際には、目視により行っている。
【０００３】
【発明が解決しようとする課題】
上述した従来の技術においては、目視で分かるような偽造が行われた場合には偽造をすぐに発見することができるためある程度偽造を防止させる効果が得られるものの、目では容易に分からないような偽造がなされたときには偽造の発見が遅れることになる。そこで、より高度な偽造防止技術が求められていた。
本発明は、上記課題にかんがみてなされたもので、より高精度に偽造を検出することを可能にさせ、偽造をより確実に防止させることが可能な偽造防止システム、偽造防止方法、ホログラム記録体、ホログラム記録体作製装置、ホログラム記録体作製方法、偽造検出装置および偽造検出方法の提供を目的とする。
【０００４】
【課題を解決するための手段】
上記目的を達成するため、請求項１にかかる発明は、レーザ光線を生成し、ドットマトリクス状の多数の領域別に略並行とされた干渉縞の向きをそれぞれ所定の角度としたパターンを基準として、暗号データに応じて同干渉縞の向きを同所定の角度から変更したパターンを同レーザ光線により形成してホログラム記録体を作製するホログラム記録体作製装置と、作製されたホログラム記録体から上記領域別に上記干渉縞の向きを検出し、検出した干渉縞の向きと上記暗号データとに基づいて同ホログラム記録体が偽造されているか否かを検出する偽造検出装置とを具備する構成としてある。
【０００５】
すなわち、ホログラム記録体は、ドットマトリクス状の多数の領域別に略並行とされた干渉縞の向きをそれぞれ所定の角度としたパターンを基準として、暗号データに応じて干渉縞の向きを所定の角度から変更したパターンをレーザ光線により形成されて作製される。作製されたホログラム記録体は、領域別に干渉縞の向きが検出され、検出された干渉縞の向きと暗号データとに基づいてホログラム記録体が偽造されているか否かが検出される。
従って、ホログラム記録体に対して目視では容易に分からないような偽造が行われていても、ホログラム記録体に記録された干渉縞の向きと暗号データとに基づいて偽造されているか否かを検出することができるので、より高精度に偽造を検出することが可能となる。
【０００６】
上記干渉縞は略並行に形成されていればよく、複数の直線が平行とされたような模様であってもよいし、複数の曲線が並行した模様であってもよい。
上記偽造検出装置は、作製されたホログラム記録体から上記領域別に上記干渉縞の向きを検出し、検出した干渉縞の向きに対応するデータを取得し、当該データと上記暗号データとに基づいて同ホログラム記録体が偽造されているか否かを検出するようにしてもよい。検出した干渉縞の向きに対応するデータと暗号データとにより、確実にホログラム記録体が偽造されているか否かを検出することができる。
【０００７】
上述したように、ドットマトリクス状の多数の領域別に略並行とされた干渉縞が形成されたホログラム記録体を利用して偽造防止を実現する偽造防止システムをホログラム記録体作製装置と偽造検出装置とから構成する場合、請求項２にかかる発明のように構成してもよい。すなわち、予め決められた暗号データが取得され、ホログラム記録体は干渉縞の向きが暗号データに基づいて本来の角度から所定角度差となるように変更されて作製される。作製されたホログラム記録体からは、多数の領域に対して走査用レーザ光線が照射されて走査され、走査用レーザ光線の反射光が受光されて干渉縞の角度が検出される。そして、検出された干渉縞の角度と本来の角度との差異に対応する復号データが取得され、取得された復号データと上記暗号データとが比較されることによりホログラム記録体が偽造されているか否かが検出される。従って、ホログラム記録体に記録された干渉縞の向きと暗号データとに基づいて偽造されているか否かを検出することができる。
【０００８】
干渉縞の向きを変更する角度は、様々な設定とすることができるが、目で感じられない角度であるとホログラム記録体の偽造を防止させるのにさらに好適となる。
ここで、上記基準とされるパターンにおける上記領域別の干渉縞の向きは、いずれも所定の角度単位刻みとされた角度とされ、上記ホログラム記録体作製装置は、上記暗号データに応じて上記干渉縞の向きを上記所定の角度単位刻みとされた角度とは異なる角度にしたパターンを形成してホログラム記録体を作製するようにしてもよい。基準とされるパターンの干渉縞の向きが所定の角度単位刻みとされた角度のみであるので、より確実にホログラム記録体からデータを復号して偽造されているか否かを検出することができる。
【０００９】
上記暗号データは、２進数のデジタルデータとされ、上記向き変更手段は、上記デジタルデータの各ビットのそれぞれを別の上記領域に対応させて上記干渉縞の向きを変更させるようにしてもよい。暗号データの各ビットのそれぞれが別の領域に対応しているので、より確実にホログラム記録体からデータを復号して偽造されているか否かを検出することができる。
【００１０】
その際、簡易な構成の一例として、上記向き変更手段は、上記デジタルデータの各ビットが０または１のいずれかであるときに上記干渉縞の向きを変更させる構成とすることができる。また、より確実にデータを復号可能とする構成の一例として、上記向き変更手段は、上記デジタルデータの各ビットが０である場合と１である場合とで異なる方向に上記干渉縞の向きを変更させる構成とすることができる。
【００１１】
ホログラム記録体作製装置の具体例として、請求項７にかかる発明のように構成してもよい。すなわち、記録媒体は、駆動部に支持されてＸＹの二軸方向に移動可能である。生成されたレーザ光線は、ビームスプリッターにより透過光と反射光とに分けられる。このビームスプリッターはスプリッター回転部により回転させられ、反射光の進行方向が変更される。進行方向が変更された反射光は、重ね合わせ部により、記録媒体における透過光が照射される照射部位に照射させられる。従って、ビームスプリッターの回転位置に応じて略並行とされた干渉縞の向きが変わり、記録媒体を移動させることによりドットマトリクス状の多数の領域別に向きを変えながら干渉縞を形成することが可能である。
【００１２】
一方、偽造検出装置の具体例として、請求項８にかかる発明のように構成してもよい。すなわち、走査用レーザ光線の反射光がＣＣＤ撮像器により撮像されてデジタルの画像データとして取得される。ここで、干渉縞の角度に対応して予め複数の基準画像データが設けられており、これらの基準画像データと取得されたデジタルの画像データとが比較されて同画像データに最も近似する基準画像データに対応する角度が取得される。
【００１３】
ところで、上述した偽造防止システムは、単独で実施される場合もあるし、あるシステムに組み込まれた状態で他の方法とともに実施されることもあるなど、発明の思想としては各種の態様を含むものであって、適宜、変更可能である。
また、上述した偽造を防止させる際の手順にも発明は存在する。従って、本発明は方法としても適用可能であり、請求項９、請求項１０にかかる発明においても、基本的には同様の作用となる。むろん、請求項３〜請求項８に記載された構成を上記方法に対応させることも可能である。
【００１４】
本偽造防止システムにて作製されるホログラム記録体は、暗号データに応じて干渉縞の向きを所定の角度から変更したパターンが形成されたことにより、偽造をより確実に防止させることが可能となる。従って、本発明はホログラム記録体としても適用可能であり、請求項１１にかかる発明においても、基本的には同様の作用となる。
また、本偽造防止システムに使用されるホログラム記録体作製装置は、ホログラム記録体に暗号データに応じて干渉縞の向きを所定の角度から変更したパターンを形成することにより、偽造をより確実に防止させることが可能となる。従って、本発明はホログラム記録体作製装置としても適用可能であるし、ホログラム記録体作製方法としても適用可能であり、請求項１２、請求項１３にかかる発明においても、基本的には同様の作用となる。
【００１５】
さらに、本偽造防止システムに使用される偽造検出装置は、ホログラム記録体から検出した干渉縞の向きと暗号データとに基づいてホログラム記録体が偽造されているか否かを検出することにより、偽造をより確実に防止させることが可能となる。従って、本発明は偽造検出装置としても適用可能であるし、偽造検出方法としても適用可能であり、請求項１４、請求項１５にかかる発明においても、基本的には同様の作用となる。
むろん、請求項２〜請求項８に記載された構成を上記ホログラム記録体作製装置・方法や偽造検出装置・方法に対応させることも可能である。
【００１６】
【発明の効果】
以上説明したように、請求項１、請求項２、請求項９〜請求項１５にかかる発明によれば、より高精度に偽造を検出することを可能にさせ、偽造をより確実に防止させることが可能となる。
請求項３、請求項４、請求項６にかかる発明によれば、より確実に偽造を検出することを可能にさせるホログラム記録体を作製することが可能となる。
請求項５にかかる発明によれば、簡易な構成でより高精度に偽造を検出することを可能にさせるホログラム記録体を作製することができる。
請求項７にかかる発明によれば、確実に向きを変えながら多数の領域別に干渉縞を形成することが可能となる。
請求項８にかかる発明によれば、確実に干渉縞の角度を検出することが可能となる。
【００１７】
【発明の実施の形態】
以下、下記の順序に従って本発明の実施形態を説明する。
（１）偽造防止システムの概略構成：
（２）ホログラム記録体作製装置の構成：
（３）ホログラム記録体の説明：
（４）ホログラム記録体作製装置の動作：
（５）偽造検出装置の構成：
（６）偽造検出装置の動作：
（７）まとめ：
【００１８】
（１）偽造防止システムの概略構成：
図１は、本発明の一実施形態にかかる偽造防止システムの概要を示している。本偽造防止システムは、ホログラム記録体作製装置１０と偽造検出装置２０とから構成され、ホログラム記録体３０を利用して偽造防止を実現するようになっている。
ホログラム記録体３０は、所定のホログラム領域３０ａに、ドットマトリクス状の多数のドット領域（領域）３１別に略並行とされた干渉縞がレーザ光線により形成されている。詳しくは後述するが、所定のパターンを基準として、予め決められた暗号データに応じてドット領域３１別に干渉縞の向きを所定の角度から変更したパターンが形成されている。本実施形態では、ホログラム記録体とするカードの一部に所定の記録媒体であるホログラム感光材料を積層し、この記録媒体にホログラムを形成している。むろん、ホログラム記録体はホログラムが形成されていればよいため、フィルム状の記録媒体にホログラムを形成し、所定の大きさに切断してカードに貼付してホログラム記録体としてもよい。また、カード全面にホログラムを形成してもよい。さらに、カード以外にも、通帳やフィルム自体等をホログラム記録体としてもよい。
【００１９】
ホログラム記録体作製装置１０は、各種手段Ｕ１１〜Ｕ１３を備え、ホログラム記録体３０を作製する。記録体作製手段Ｕ１１は、レーザ光線を生成し、所定の記録媒体に同レーザ光線を照射するとともに、ドット領域３１別に角度を調整しながら干渉縞を形成してホログラム記録体３０を作製する。暗号取得手段Ｕ１２は、予め決められた暗号データを取得する。向き変更手段Ｕ１３は、取得された暗号データに基づいて干渉縞の向きを本来の角度から所定角度差となるように変更させる。
【００２０】
偽造検出装置２０は、各種手段Ｕ２１〜Ｕ２４を備え、ホログラム記録体３０が偽造されているか否かを検出する。走査手段Ｕ２１は、走査用レーザ光線を生成し、多数のドット領域３１に対して同走査用レーザ光線を照射して走査する。角度検出手段Ｕ２２は、照射された走査用レーザ光線の反射光を受光して干渉縞の角度を検出する。復号手段Ｕ２３は、検出された干渉縞の角度と本来の角度との差異に対応する復号データを取得する。記録体偽造検出手段Ｕ２４は、取得された復号データと暗号データとを比較することにより、ホログラム記録体３０が偽造されているか否かを検出する。なお、本発明にいう偽造検出手段は、手段Ｕ２３，Ｕ２４から構成される。
このようにして、ホログラム記録体に対して目視では容易に分からないような偽造が行われたとしても、ホログラム記録体に記録された干渉縞の向きと暗号データとに基づいて偽造されているか否かを検出することができるので、より高精度に偽造を検出することを可能とする。
【００２１】
（２）ホログラム記録体作製装置の構成：
図２は、ホログラム記録体作製装置１０の構成を模式的に示す図である。
図において、本装置１０全体を制御するパーソナルコンピュータ（ＰＣ）１１、同ＰＣ１１に接続されたレーザ光源１２とシャッター１３、同レーザ光源１２から出力されるレーザ光線Ｌ１を反射させる第一の反射鏡１４、同反射鏡１４からのレーザ光線Ｌ１を透過光Ｌ１ａと反射光Ｌ１ｂとに分けるビームスプリッター１５、反射光Ｌ１ｂをさらに反射させる第二の反射鏡１６、ビームスプリッター１５と反射鏡１６を回転させてビームスプリッター１５からの反射光Ｌ１ｂの進行方向を変更させるスプリッター回転部１７、所定の記録媒体Ｍ１を支持して水平面とされたＸＹの二軸方向に移動させる駆動部１８、を備えている。なお、図の左右方向がＸ軸方向、図を臨む位置から前後（手前と奥）方向がＹ軸方向である。
【００２２】
図３に示すように、ＰＣ１１は演算処理の中枢をなすＣＰＵ１１ｂを備えており、このＣＰＵ１１ｂはシステムバス１１ａを介してＰＣ全体の制御を行う。同バス１１ａには、ＲＯＭ１１ｃ、ＲＡＭ１１ｄ、各種Ｉ／Ｏボード１１ｅ〜ｈ等が接続されているとともに、ハードディスクドライブを介してハードディスク（ＨＤ）１１ｉ、各種インターフェイスを介してディスプレイやキーボードやマウスが接続されている。Ｉ／Ｏボード１１ｅ〜ｈには、それぞれ、レーザ光源１２、シャッター１３、モータ１７ｃ、駆動部１８が接続されている。
ＨＤ１１ｉには、オペレーティングシステム（ＯＳ）、各部１２〜１８を制御するアプリケーションプログラム（ＡＰＬ）、基準とされたパターンにおけるドット領域毎に干渉縞の向きを表す角度データ、予め決められた暗号データ、等が格納されている。そして、ＣＰＵ１１ｂがこれらのソフトウェアやデータを適宜ＲＡＭ１１ｄに転送し、ＲＡＭ１１ｄを一時的なワークエリアとして適宜アクセスしながらＡＰＬに従った処理を行う。
【００２３】
レーザ光源１２は、略平行に進行するレーザ光線Ｌ１を生成する。本実施形態では、ＰＣ１１からの指示に従ってオンオフするようになっており、オンにされたときには略水平方向にレーザ光線Ｌ１を出力する。レーザ光線Ｌ１の波長は、記録媒体を感光させ、略円形とされるドット領域に略並行とされた干渉縞を形成することが可能な波長であればよく、ドット領域の大きさや透過光Ｌ１ａと反射光Ｌ１ｂとの角度差等に応じて適宜決定可能である。そして、レーザ光線Ｌ１の波長を調整することにより、干渉縞の間隔を変えることができる。
【００２４】
シャッター１３は、レーザ光源１２におけるレーザ光線Ｌ１の出力部に取り付けられており、ＰＣ１１からの指示に従って開閉同可能となっており、レーザ光線Ｌ１を通過させたり遮断したりする。従って、シャッター１３の開閉時間を調整することにより、形成する干渉縞の強さを変えることができる。
反射鏡１４は、レーザ光源１２と同じ高さに設けられており、反射面が水平面に対して略４５°（図２の左上から右下への向き）とされている。従って、略水平に出力されたレーザ光線Ｌ１を略鉛直下向きに反射させる。
なお、シャッター１３と反射鏡１４との間には、レーザ光線Ｌ１の径を変更させるためのレンズ部材１３ａを設置可能となっている。そして、レンズ部材１３ａを選択することにより、ドット領域の大きさを変更可能となっている。
【００２５】
ビームスプリッター１５は、反射鏡１４の真下に設けられており、略鉛直下向きに進行するレーザ光線Ｌ１の一部を透過させるとともに残りを反射させる。ビームスプリッター１５のミラー面は、水平面に対して略４５°とされており、透過光Ｌ１ａを略鉛直下向きに透過させるとともに反射光Ｌ１ｂを略水平方向に反射させる。
ここで、ビームスプリッター１５は、スプリッター回転部１７に取り付けられており、スプリッター回転部１７とともに回転するようになっている。従って、略水平方向に反射される反射光Ｌ１ｂは、ビームスプリッター１５の回転位置に応じて進行方向が変更される。
【００２６】
スプリッター回転部１７は、透過光Ｌ１ａを中心軸として回転動可能な回転部材１７ａと、固定された支持部材１７ｂと、ＰＣ１１からの指示に従って回転部材１７ａを回転駆動するサーボモータ１７ｃとを備えている。支持部材１７ｂは、回転部材１７ａを下側から回転可能に支持している。回転部材１７ａには歯車１７ｄが外嵌されているとともにモータ１７ｃの回転軸にも歯車１７ｅが外嵌されており、両歯車１７ｄ，ｅは噛合している。従って、モータ１７ｃの回転量に応じて正確に回転部材１７ａが回転するようになっている。ここで、回転部材１７ａにビームスプリッター１５と反射鏡１６を取り付けてあるので、これらはＰＣ１１からの指示に従って回転するようになっている。
【００２７】
反射鏡１６は、ビームスプリッター１５とともに回転して、回転部材１７ａ内で進行方向を変更させられながら略水平に進行する反射光Ｌ１ｂを常に斜め下向きに反射させる。ここで、反射した反射光Ｌ１ｂが記録媒体Ｍ１における透過光Ｌ１ａが照射される照射部位Ｍ１ａに照射されるように、反射鏡１６の向きが設定されている。すなわち、反射鏡１６は、本発明にいう重ね合わせ部を構成する。そして、照射部位Ｍ１ａの一つ一つがそれぞれ別のドット領域３１に対応することになる。
【００２８】
駆動部１８は、略水平とされた上面において記録媒体Ｍ１の形状に合わせてごくわずかに窪んだ凹部１８ｂにて記録媒体Ｍ１を支持するテーブル１８ａや、内蔵する二台のステッピングモータ等を備えている。そして、両ステッピングモータの回転動作に基づいてテーブル１８ａを駆動可能になっており、ＰＣ１１からの指示に従って記録媒体Ｍ１を水平面方向の二軸方向に移動させる。従って、記録媒体Ｍ１における照射部位Ｍ１ａを変更することが可能である。
【００２９】
図４は、照射部位Ｍ１ａを上面から見て示している。図において、透過光Ｌ１ａは真上から入射するとともに、反射光Ｌ１ｂは左側の斜め上から入射するものとする。すると、図の左右方向については、透過光と反射光との光路差が変化するため、光路差に応じて両レーザ光線が強調される部位Ｍ１ｂと、両レーザ光線が打ち消される部位Ｍ１ｃとが生じる。一方、図の上下方向については、透過光と反射光との光路差は変化しないため、強調される部位については上側も下側も強調される部位となっており、打ち消される部位については上側も下側も打ち消される部位となっている。従って、図では縦方向に略平行の干渉縞が生じることになる。そして、反射光の入射方向を変更することにより、略並行とされた干渉縞の向きを調整することが可能である。
【００３０】
（３）ホログラム記録体の説明：
図５は、上記装置１０により作製されるホログラム記録体３０に記録されるパターンを模式的に示している。
ホログラム記録体３０は、図の上段に示す基準パターンＰ０を基準として、暗号データＤ０に応じて変更した形成パターンＰ１がレーザ光線により形成されている。ここで、基準パターンＰ０は、上記記録媒体Ｍ１が移動するＸ軸方向を基準として干渉縞の向きが４５°とされた多数の領域Ｒ１と、１３５°とされた多数の領域Ｒ２とから構成されている。すなわち、基準パターンにおける略並行とされた干渉縞の向きは、ドットマトリクス状の多数のドット領域別にそれぞれ所定の角度とされている。むろん、基準パターンにおける干渉縞の向きは様々な設定が可能であり、本実施形態のように所定の９０°単位刻みとされた角度以外にも、例えば所定の３０°単位刻みとされた角度等とすることもできるし、所定の角度単位刻みとはされていない角度とすることもできる。
これらの領域Ｒ１，Ｒ２は、蜂の巣状に密接して形成されている。むろん、領域Ｒ１，Ｒ２は、ドットマトリクス状に配置されていればよいため、縦方向にも並んで縦ｍ個×横ｎ個となるように配置されてもよい。
【００３１】
ここで、基準パターンＰ０の一部のパターンＰ０ａ（ドット領域の周縁部を太線で図示）を暗号データＤ０に応じて変更している。本実施形態では、暗号データを２進数のデジタルデータとし、当該デジタルデータの各ビットのそれぞれを別のドット領域に対応させて、同デジタルデータの各ビットが１のときに干渉縞の向きを−１５°（時計回りに＋１５°）変更させるようにし、同デジタルデータの各ビットが０のときには干渉縞の向きをそのままにするようにしている。従って、デジタルデータのビットが１であるとき、干渉縞の向きが４５°とされた領域Ｒ３は干渉縞の向きが３０°（領域Ｒ４）とされ、干渉縞の向きが１３５°とされた領域Ｒ５は干渉縞の向きが１２０°（領域Ｒ６）とされる。
そして、変更前のパターンＰ０ａを変更後のパターンＰ１ａに置き換えることにより、暗号データに応じて干渉縞の向きを所定の角度から変更した形成パターンＰ１が生成される。この形成パターンＰ１をレーザ光線により形成すると、簡易な構成ながら暗号データＤ０が検出可能となるように干渉縞の向きを所定の角度から変更した形成パターンが形成される。
【００３２】
むろん、暗号データに応じて干渉縞の向きを変更する際には、デジタルデータの各ビットが０のときに干渉縞の向きを−１５°変更させるようにし、デジタルデータの各ビットが１のときに干渉縞の向きをそのままにするようにしてもよい。干渉縞の向きを変更する角度は、上記偽造検出装置２０にて暗号データが検出可能となるような角度、すなわち、干渉縞の向きを検出する際に本来の干渉縞の向きとの差異を判別することができる角度であればよく、同偽造検出装置の検出精度に応じて決定すればよい。従って、上記−１５°以外にも、例えば、＋１５°、−５°、等、様々な角度とすることができる。なお、干渉縞の向きを変更する角度が目視では容易に分からない角度とされていると、偽造者はパターンの中に暗号データが埋め込まれていることを知らずに偽造するので、より確実に偽造を検出することができ、ホログラム記録体の偽造を防止させるのにさらに好適となる。干渉縞の向きを変更する角度が１５°程度であると、小さいドット領域に形成された干渉縞の向きの相違を目では容易に判別することができないので、偽造をより確実に防止させる効果が得られる。
【００３３】
さらに、図６に示すように、デジタルデータの各ビットが０である場合と１である場合とで異なる方向に干渉縞の向きを変更させるようにしてもよい。図の例は、デジタルデータの各ビットが１のときに干渉縞の向きを−１５°変更させるようにし、同デジタルデータの各ビットが０のときに干渉縞の向きを＋１５°変更させるようにしている。すると、ビット１のときの干渉縞の向きとビット０であるときの干渉縞の向きとの角度差を大きくすることができるので、より確実に暗号データを復号することが可能となる。
むろん、デジタルデータの各ビットが０のときに干渉縞の向きを−１５°変更させるようにし、同デジタルデータの各ビットが１のときに干渉縞の向きを＋１５°変更させるようにしてもよい。デジタルデータの各ビットが０である場合と１である場合とで干渉縞の向きを変更する角度差の絶対値が異なっていてもよい。
また、暗号データを３進数で構成し、暗号データのある桁の数が１のときに干渉縞の向きを変更せず、同桁の数が０、２であるときに干渉縞の向きをそれぞれ−１５°、＋１５°と変更させる等してもよい。
【００３４】
（４）ホログラム記録体作製装置の動作：
図７は、上記ホログラム記録体３０を作製するホログラム記録体作製装置１０のＰＣ１１が行う処理をフローチャートにより示している。このフローチャートに従って、以下、同装置１０の動作を説明する。
ＰＣ１１にインストールされたホログラム記録体作製用のＡＰＬを起動させると、まず、ＨＤ１１ｉから予め決められた暗号データを取得する（ステップＳ１０５。以下、ステップの記載を省略）。すなわち、ＰＣ１１が行うＳ１０５の処理は、暗号取得手段を構成する。ここで、暗号データのデータ形式は様々考えられ、例えば、複数の文字を組み合わせたデータとすることができる。本実施形態では、暗号データを２進数として扱うため、これらの文字の１６進数コードを２進数に変換し、２進数の暗号データを取得する。
なお、暗号データを予め決める際には、例えば、乱数を利用して複数の文字に対応する文字コードを生成すればよい。そして、実際にホログラム記録体を使用するユーザを識別可能とするユーザＩＤ等と暗号データとを対応させてＨＤ１１ｉに記憶しておけば、ユーザと暗号データとを対応付けることができ、便利である。
【００３５】
次に、ドット領域別に略並行とされた干渉縞の向きを表す所定の角度データをＨＤ１１ｉから取得する（Ｓ１１０）。図８の上段は、同角度データ（変更前）の構造の一例を示している。図に示すように、同角度データは、ドット領域の位置を表すＸ座標、Ｙ座標と、干渉縞の向きとが対応したデータとされている。Ｘ，Ｙ座標は、駆動部１８により移動する記録媒体のＸ，Ｙ軸方向の照射位置を表している。本実施形態では、干渉縞の向きを０°〜１８０°の度単位の数値としているが、変更後の干渉縞の向きが決められた角度にしかならない場合には決められた角度に対応する別の数値としてもよい。
【００３６】
そして、取得した暗号データに基づいて、干渉縞の向きを本来の角度から所定角度差に変更させるように角度データを変更する（Ｓ１１５）。本実施形態の場合、２進数とされた暗号データの各ビットのそれぞれを上述した一部のパターンＰ０ａにおける別のドット領域に対応させて、同暗号データのビットが１のときに対応する箇所の角度データを−１５°変更させ、同暗号データのビットが０のときには角度データをそのままにしている。すると、図８の下段に示すように、ビットが１であるとき、基準パターンにおける４５°または１３５°の干渉縞の向きのデータは、それぞれ３０°、１２０°に変更される。
ここで、本来の角度からの角度差１５°は、上述したように偽造検出装置２０にて暗号データが検出可能な角度である。このように、ＰＣ１１が行うＳ１１０〜Ｓ１１５の処理は、暗号データが検出可能となるようにドット領域別に干渉縞の向きを所定の角度から変更させる向き変更手段を構成する。
【００３７】
その後、ホログラム記録体作製装置の各部１２〜１８に対して各種の初期設定を行う処理を行う（Ｓ１２０）。ここで、レーザ光源１２に対しては電源をオンにさせる信号を出力する一方、シャッター１３に対しては閉状態にさせる信号を出力する。すると、レーザ光源１２は電源オンとなってレーザ光線を生成するとともに、シャッター１３が閉状態となって同レーザ光線を遮断する。そして、図９に示すように、位置決め用ドット領域Ｒ１１，Ｒ１２が照射位置となるように駆動部１８にて記録媒体を移動させ、位置決め用の干渉縞を形成する。例えば、領域Ｒ１１を形成パターンの形成を開始する位置とし、領域Ｒ１２を暗号データにより角度が変更された一部のパターンの形成を開始する位置とする。位置決め用の干渉縞は、例えば、４５°の干渉縞と１３５°の干渉縞を同じ位置に形成することにより形成することができる。
【００３８】
初期設定処理後、レーザ光線を照射する着目ドット領域のＸ，Ｙ座標の位置を設定する（Ｓ１２５）。例えば、所定のポインタを用意し、このポインタに対応する角度データ（変更後）のＸ，Ｙ座標を着目ドット領域の位置と設定することができる。
次に、着目ドット領域のＸ，Ｙ座標となるようにテーブルを移動させる信号を駆動部１８に対して出力する（Ｓ１３０）。すると、テーブル上に支持された記録媒体は、着目ドット領域のＸ，Ｙ座標となるように移動する。具体的には、前回の座標がＸ０，Ｙ０であれば、Ｘ軸方向に（Ｘ−Ｘ０）、Ｙ軸方向に（Ｙ−Ｙ０）移動させる信号を作成して出力する。そこで、図９中に矢印で示すように、着目ドット領域をまずＸ軸方向に移動させながら順次Ｙ軸方向にずらす場合にはＹ座標が変わる度に着目ドット領域を移動させる方向を変えると、記録媒体は速やかに移動する。
【００３９】
さらに、変更後の角度データに基づいて、角度データに対応した干渉縞の向きとなるようにスプリッター回転部１７を回転させる信号をモータ１７ｃに対して出力する（Ｓ１３５）。すると、モータ１７ｃは、角度データに対応した回転位置にスプリッター回転部１７を回転させる。例えば、干渉縞の向きの角度データが４５°であるときには、スプリッター回転部１７は干渉縞の向きが４５°となるよう、スプリッター回転部１７とともにビームスプリッター１５や反射鏡１６を回転させる。
【００４０】
そして、所定時間開状態にさせる信号をシャッター１３に出力し、レーザ光線を記録媒体に照射させる（Ｓ１４０）。すると、所定時間の間シャッター１３が開状態となり、図２において、レーザ光線Ｌ１はシャッター１３を通過して反射鏡１４に反射される。反射されたレーザ光線Ｌ１は、ビームスプリッター１５を透過する透過光Ｌ１ａと、ビームスプリッター１５に反射される反射光Ｌ１ｂとに分けられる。透過光Ｌ１ａは記録媒体Ｍ１の照射部位Ｍ１ａに照射するとともに、反射光Ｌ１ｂは反射鏡１６を反射した後に同照射部位Ｍ１ａに照射する。その結果、記録媒体Ｍ１における着目ドット領域に対して、角度データ（変更後）に応じて角度が調整されながら略並行とされた干渉縞が形成される。
なお、Ｓ１２０でシャッター１３の開閉時間の設定入力を受け付け、入力された開閉時間となるようにシャッター１３を開閉させるようにしてもよい。
【００４１】
その後、全ドット領域に対して干渉縞を形成する処理を終了したか否かを判断する（Ｓ１４５）。全ドット領域に対して処理が終了していない場合には、Ｓ１２５に戻り、次のドット領域に対して干渉縞を形成する処理を行う。一方、全ドット領域に対して処理が終了した場合には、本フローを終了する。このとき、記録媒体に対してドット領域別に角度が調整されながら略並行とされた干渉縞が形成され、ホログラム記録体が作製される。
すなわち、ＰＣ１１が行うＳ１２５〜Ｓ１４５の処理は、各部１２〜１８とともに、記録体作製手段を構成する。
以上説明した流れにより、暗号データに応じて干渉縞の向きを所定の角度から変更したパターンをレーザ光線により形成してホログラム記録体を作製することができる。
【００４２】
（５）偽造検出装置の構成：
図１０は、偽造検出装置２０の構成を模式的に示す図である。
図において、本装置２０全体を制御するＰＣ２１、同ＰＣ２１に接続されたレーザ光源２２とシャッター２３、同レーザ光源２２から出力される走査用レーザ光線Ｌ２を反射させる反射鏡２４、同反射鏡２４からの走査用レーザ光線Ｌ２が照射されるホログラム記録体３０を支持して水平面とされたＸＹの二軸方向に移動させる駆動部２５、ホログラム記録体３０に反射された走査用レーザ光線Ｌ２の反射光を透過させて拡大する拡大レンズ２６、拡大された反射光を撮像してデジタルの画像データとして取得するＣＣＤ撮像器２７、を備えている。なお、図の左右方向がＸ軸方向、図を臨む位置から前後方向がＹ軸方向である。
【００４３】
図示を省略しているが、ＰＣ２１は、概略、ホログラム記録体作製装置のＰＣ１１と同様の構成を有している。すなわち、ＰＣ２１は、システムバスに、ＣＰＵ、ＲＯＭ、ＲＡＭ、複数のＩ／Ｏボード等が接続されているとともに、ハードディスクドライブを介してＨＤ２１ｉ、各種インターフェイスを介してディスプレイやキーボードやマウスが接続されている。ここで、複数のＩ／Ｏボードには、それぞれ、レーザ光源２２、シャッター２３、ＣＣＤ撮像器２７が接続されている。ＨＤには、ＯＳ、各部２２〜２７を制御するＡＰＬ、ＰＣ１１に記憶されているのと同じ基準パターンにおける角度データ、暗号データ、後述する基準画像データ、等が格納されている。
【００４４】
レーザ光源２２は、略平行に進行する走査用レーザ光線Ｌ２を生成する。この走査用レーザ光線Ｌ２は、ホログラム記録体３０をさらに感光させない強度の光線とされている。なお、走査用レーザ光線Ｌ２は、光路の途中で二つに分けられて重ね合わされる訳ではないので、ホログラム記録体３０に対してさらに干渉縞を形成するようなことはない。同走査用レーザ光線Ｌ２の波長は、各ドット領域の干渉縞の模様をＣＣＤ撮像器２７で撮像することが可能な波長とされていればよく、形成された干渉縞の間隔に応じて適宜決定可能である。本レーザ光源２２は、ＰＣ２１からの指示に従ってオンオフするようになっており、オンにされたときには略水平方向に走査用レーザ光線Ｌ２を出力する。
【００４５】
シャッター２３は、レーザ光源２２における走査用レーザ光線Ｌ２の出力部に取り付けられており、ＰＣ２１からの指示に従って開閉同可能となっており、走査用レーザ光線Ｌ２を通過させたり遮断したりする。
反射鏡２４は、レーザ光源２２と同じ高さに設けられており、反射面が水平面に対して４５°より小さくされている（図１０の左上から右下への向き）。従って、略水平に出力された走査用レーザ光線Ｌ２を斜め下向きに反射させる。
なお、シャッター２３と反射鏡２４との間には、走査用レーザ光線Ｌ２の径を変更させるためのレンズ部材２３ａを設置可能となっている。そして、レンズ部材２３ａを選択することにより、ドット領域の大きさに合わせて走査用レーザ光線Ｌ２の径を変更することができる。
【００４６】
駆動部２５は、略水平とされた上面においてホログラム記録体３０の形状に合わせてごくわずかに窪んだ凹部２５ｂにてホログラム記録体３０を支持するテーブル２５ａや、内蔵する二台のステッピングモータ等を備えている。そして、両ステッピングモータの回転動作に基づいてテーブル２５ａを駆動可能になっており、ＰＣ２１からの指示に従ってホログラム記録体３０を水平面方向の二軸方向に移動させる。従って、ホログラム記録体３０上において走査用レーザ光線Ｌ２を照射するドット領域を変更することが可能である。
【００４７】
拡大レンズ２６は、ホログラム記録体３０に照射された走査用レーザ光線の反射光を透過させて拡大する。
ＣＣＤ撮像器２７は、光学レンズ系や多数のＣＣＤ撮像素子やＡ／Ｄコンバータ等を備える光学部と、所定のバスに接続されたＣＰＵやＲＯＭやＲＡＭやインターフェイス等を備える制御部とから構成されている。光学部で撮像された画像はＣＣＤ撮像素子からアナログ電気信号として出力された後、Ａ／Ｄコンバータにてデジタルデータに変換され、バスを介してＲＡＭに一時記憶される。一時的に記憶したデジタルデータは、インターフェイスを介してＰＣ２１に出力される。このように、ＣＣＤ撮像器２７は、走査用レーザ光線の反射光を撮像してデジタルの画像データとして取得する。
【００４８】
ＣＣＤ撮像器のＣＣＤ撮像素子は横ｍ個×縦ｎ個（ｍ，ｎは正の整数）から構成されており、ＣＣＤ撮像器２７から出力されるデジタルデータは各ＣＣＤ撮像素子に対応したマトリクス状の画素からなる画像データとなる。ここで、各ドット領域の干渉縞の向きは決められた角度にしかならないので、干渉縞の角度のそれぞれに対応して予め複数の基準画像データを設けてＨＤ２１ｉに記憶させておき、これらの複数の基準画像データとＣＣＤ撮像器からの画像データとを比較して当該画像データに最も近似する基準画像データに対応する角度を取得することにより、干渉縞の角度を検出する。
【００４９】
例えば、ＣＣＤ撮像器からの画像データを二値化することを前提として、図１１に示すように、二値化されるとともにドット領域の円形状に対応した基準画像データを用意する。なお、図の左上の基準画像データＤ１１は４５°の干渉縞に対応して設けられた基準画像データの一例を示し、図の右上の基準画像データＤ１２は３０°の干渉縞に対応して設けられた基準画像データの一例を示している。ここで、斜線を引いた領域の各画素は１とされ、斜線を引いていない領域の各画素は０とされている。画像データの二値化は、ＣＣＤ撮像器からの画像データを中央値以上であるときに１として中央値未満のときに０とする等により行うことができる。
【００５０】
あるドット領域の干渉縞の向きが３０°である場合、図の下段に示すような二値化された画像データＤ１３が得られる。画像データに最も近似する基準画像データを決定するには、画像データＤ１３と基準画像データＤ１１，Ｄ１２とで対応する画素どうしの二値化データを比較し、一致する画素数の割合が大きいほうの基準画像データに対応する角度を取得することにより、干渉縞の角度を検出することができる。図の例では、４５°用の基準画像データＤ１１よりも３０°用の基準画像データＤ１２のほうが、画像データＤ１３と画素の二値化データが一致する割合が大きいので、基準画像データＤ１１に対応する角度３０°を干渉縞の角度であると検出することになる。
【００５１】
なお、暗号データにより角度が変更された一部のパターン中の各ドット領域を正確に位置決めして撮像するため、位置決め用ドット領域Ｒ１２の位置を検出し、当該領域Ｒ１２から各ドット領域を正確に位置決めして駆動部２５によりホログラム記録体を移動させるようにしている。ここで、正確に位置決めされているときには、図に示すように画像データＤ１３の中央部分Ｄ１４における各画素の二値化データは１となるので、同中央部分Ｄ１４の各画素の二値化データが１となるように画像データの全画素をずらした後に基準画像データと比較するようにしてもよい。
【００５２】
（６）偽造検出装置の動作：
図１２は、偽造検出装置２０のＰＣ２１が行う処理をフローチャートにより示している。本フローでは、多数のドット領域に対して走査用レーザ光線を照射して走査し、当該走査用レーザ光線の反射光を受光して干渉縞の角度を検出し、検出した干渉縞の角度と本来の角度との差異に対応する２進数の復号データを取得し、取得した復号データと暗号データとを比較することにより、ホログラム記録体が偽造されているか否かを検出する。以下、フローチャートに従って、同装置２０の動作を説明する。
【００５３】
ＰＣ２１にインストールされた偽造検出用のＡＰＬを起動させると、まず、偽造検出装置の各部２１〜２７に対して各種の初期設定を行う処理を行う（Ｓ２０５）。ここで、レーザ光源２２に対しては電源をオンにさせる信号を出力する。すると、レーザ光源２２は電源オンとなって走査用レーザ光線を生成する。そして、図９で示した位置決め用ドット領域Ｒ１１，Ｒ１２が照射位置となるように駆動部２５にてホログラム記録体を移動させ、位置決め用ドット領域Ｒ１１，Ｒ１２を順次検出する。位置決め用ドット領域Ｒ１１，Ｒ１２では、４５°の干渉縞と１３５°の干渉縞が同じ位置に形成されているので、ＣＣＤ撮像器２７にて取得されて二値化された画像データは、位置決め用ドット領域以外のドット領域を撮像して得られる二値化された画像データと比べ、１（または０）の画素の割合が大きくなっている。そこで、１（または０）の画素の割合が所定割合以上であるとき、位置決め用ドット領域Ｒ１１，Ｒ１２であると検出することができる。
【００５４】
位置決め用ドット領域をＲ１１→Ｒ１２の順に検出することにより、確実に位置決め用ドット領域Ｒ１２で位置決めすることができるが、さらに高精度に位置決めを行うためには、図１１の画像データＤ１３で示したように、画像データの中央部分における各画素の二値化データは１（または０）となるので、同中央部分の各画素の二値化データが１（または０）となるように駆動部２５にてホログラム記録体を微動させてもよい。
【００５５】
初期設定処理後、走査用レーザ光線を照射する着目ドット領域のＸ，Ｙ座標の位置を設定する（Ｓ２１０）。初期設定直後であれば、図９において位置決め用ドット領域Ｒ１２の隣のドット領域Ｒ１３のＸ，Ｙ座標を着目ドット領域の位置と設定する。以後、暗号データに応じて干渉縞の向きを所定の角度から変更したパターン（図９でドット領域の周縁部を太線で示したパターン）に対して、順次右方向に一つずつ着目ドット領域を設定していく。
次に、着目ドット領域のＸ，Ｙ座標となるようにテーブルを移動させる信号を駆動部１８に対して出力すると（Ｓ２１５）、テーブル上に支持されたホログラム記録体は、着目ドット領域のＸ，Ｙ座標となるように移動する。そして、走査用レーザ光線が着目ドット領域に照射され、その反射光は拡大レンズ２６で拡大されてＣＣＤ撮像器２７に入射する。
そして、後述するＳ２５０にて暗号データに応じて変更したパターンの全ドット領域から復号データを取得したと判断されるまで、Ｓ２１０〜Ｓ２１５の処理が繰り返され、多数のドット領域に対して走査用レーザ光線が照射されて走査される。すなわち、ＰＣ２１が行うＳ２０５〜Ｓ２１５，Ｓ２５０の処理は、レーザ光源２２、反射鏡２４、駆動部２５等とともに走査手段を構成する。
【００５６】
その後、ＣＣＤ撮像器２７に対して走査用レーザ光線の反射光を撮像させて画像データを入手する信号を出力し、同ＣＣＤ撮像器２７から画像データを入手する（Ｓ２２０）。次に、入手した画像データを二値化し、複数の基準画像データと比較して一致する画素数の割合（一致度）を算出する（Ｓ２２５）。ここで、基準パターンにおける着目ドット領域の干渉縞の向きは予め決められているので、ＨＤ２１ｉから角度データを参照することにより本来の干渉縞の角度を取得することができる。また、暗号データの各ビットが１であるときに干渉縞の向きは本来の角度から−１５°となるように変更されているので、ＣＣＤ撮像器からの画像データと比較する基準画像データは、本来の角度に対応した基準画像データと、本来の角度から−１５°の角度に対応した基準画像データの二種類となる。すなわち、本来の角度が４５°であるときには４５°用と３０°用の基準画像データと二値化された画像データとを比較し、本来の角度が１３５°であるときには１３５°用と１２０°用の基準画像データと二値化された画像データとを比較すればよい。
【００５７】
そして、図１１で示したように、二値化された画像データに最も近似する基準画像データに対応する角度を取得する（Ｓ２３０）。Ｓ２２０〜Ｓ２３０の処理を繰り返すことにより、図１３に示すように、ホログラム記録体に照射された走査用レーザ光線の反射光を受光してドット領域別に干渉縞の角度Ｄ２１を検出することができる。このように、ＰＣ２１が行う同処理は、ＣＣＤ撮像器２７や拡大レンズ２６とともに角度検出手段を構成する。
【００５８】
その後、検出した干渉縞の向きが本来の角度であるか否かを判断する（Ｓ２３５）。本来の角度であれば、デジタルデータのビットは０と判別し、ドット領域に対応する２進数の復号データのビットを０とする（Ｓ２４０）。一方、本来の角度でなければ、デジタルデータのビットは１と判別し、ドット領域に対応する２進数の復号データのビットを１とする（Ｓ２４５）。なお、既に判別された復号データのビットが存在する場合には、今回判別したビットをその復号データのビットよりも下位に付加する。
このように、暗号データに応じて変更したパターンに対してＳ２３５〜Ｓ２４５の処理を繰り返して行うことにより、図１３に示すように、検出した干渉縞の角度Ｄ２１と本来の角度Ｄ２２との差異に対応する復号データＤ２３を順次取得することができる。すなわち、ＰＣ２１が行う同処理は、復号手段を構成する。
【００５９】
なお、暗号データの各ビットが０である場合と１である場合とで異なる方向に干渉縞の向きを変更させる場合には、例えば図１２中Ｓ２３５’に示したように、検出した干渉縞の向きが本来の角度より小さいか否かにより処理を分岐すればよい。一例として、暗号データの各ビットが１、０のときに干渉縞の向きをそれぞれ−１５°、＋１５°変更させる場合、条件成立のときに復号データのビットを１とし、条件不成立のときに復号データのビットを０とすればよい。
【００６０】
Ｓ２４０またはＳ２４５終了後、暗号データに応じて変更したパターンの全ドット領域に対して復号データのビットを取得する処理を終了したか否かを判断する（Ｓ２５０）。全ドット領域に対して処理が終了していない場合には、Ｓ２１０に戻り、次のドット領域に対して復号データのビットを取得する処理を行う。一方、全ドット領域に対して処理が終了した場合には、Ｓ２５５に進む。このとき、復号データの全てが取得されている。
【００６１】
Ｓ２５５では、取得した復号データとＨＤ２１ｉに記憶された暗号データとを比較し、これらのデータが一致しているか否かを判断する。図１３に示すように、復号データＤ２３と暗号データＤ２４とが一致しているときには、ホログラム記録体は本物である（偽造されていない）と検出したことになり、本フローを終了する。一方、復号データＤ２３と暗号データＤ２４とが一致していない場合、ホログラム記録体は偽造されていると検出したことになり、偽造検出の旨をディスプレイ等に出力し（Ｓ２６０）、本フローを終了する。
すなわち、ＰＣ２１が行うＳ２５５〜Ｓ２６０の処理は、記録体偽造検出手段を構成する。
以上説明した流れにより、作製されたホログラム記録体からドット領域別に干渉縞の向きを検出し、検出した干渉縞の向きと暗号データとに基づいてホログラム記録体が偽造されているか否かを検出することができる。
【００６２】
（７）まとめ：
上記ホログラム記録体作製装置は、様々な変形例が考えられる。例えば、上記スプリッター回転部１７を設ける代わりにテーブル１８ａを制御可能に回転させる回転駆動機構を設け、当該回転駆動機構によりテーブル１８ａを回転させて干渉縞の向きを変更するようにしてもよい。
上記偽造検出装置も、様々な変形例が考えられる。例えば、とりうる干渉縞の角度に対応させて偏光した走査用レーザ光線を生成し、ドット領域からの反射光の強度を検出し、検出した強度に応じてドット領域別に復号データを取得して、同復号データと暗号データとを比較することによりホログラム記録体が偽造されているか否かを検出するようにしてもよい。
【００６３】
上述したホログラム記録体作製装置と偽造検出装置とを備える偽造防止システムを使用すると、ホログラム記録体に記録された干渉縞の向きと暗号データとに基づいて偽造されているか否かを検出することができる。従って、従来のようにホログラム記録体が形成されたカード等の検査を目視により行うことでは容易に分からないような偽造が行われていても、より高精度に偽造を検出することが可能であるため、偽造の発見が遅れることはない。その結果、ホログラム記録体の偽造をより確実に防止させることが可能となる。
また、基準パターンの干渉縞の向きが所定の角度単位刻みとされた角度のみであるので、より確実にホログラム記録体からデータを復号して偽造されているか否かを検出することができる。
【００６４】
さらに、本来の干渉縞の向きからの角度差を目では容易に分からない角度差としていることにより、ドットマトリクス状に形成した干渉縞のパターンの中に暗号データが組み込まれていることが簡単には分からないので、偽造者がホログラム記録体を偽造しても容易にその偽造を検出でき、さらに確実に偽造を防止させることができる。
以上説明したように、本発明によると、種々の態様により、より高精度に偽造を検出することを可能にさせ、偽造をより確実に防止させることが可能となり、より高度な偽造防止技術を提供することができる。
【図面の簡単な説明】
【図１】本発明の一実施形態にかかる偽造防止システムの概要を示す図である。
【図２】ホログラム記録体作製装置の構成を模式的に示す図である。
【図３】パーソナルコンピュータの構成の概略を示すブロック図である。
【図４】照射部位を上面から見て示す上面図である。
【図５】ホログラム記録体に記録されるパターンを模式的に示す図である。
【図６】変形例においてホログラム記録体に記録されるパターンを模式的に示す図である。
【図７】ホログラム記録体作製装置のパーソナルコンピュータが行う処理を示すフローチャートである。
【図８】変更前後の角度データを模式的に示す図である。
【図９】位置決め用ドット領域と、干渉縞を形成する順序を模式的に示す図である。
【図１０】偽造検出装置の構成を模式的に示す図である。
【図１１】基準画像データを用いて干渉縞の角度を検出する様子を模式的に説明する図である。
【図１２】偽造検出装置のパーソナルコンピュータが行う処理を示すフローチャートである。
【図１３】ホログラム記録体が偽造されているか否かを検出する様子を模式的に説明する図である。
【符号の説明】
１０…ホログラム記録体作製装置
１１…パーソナルコンピュータ（ＰＣ）
１２…レーザ光源
１３…シャッター
１４…第一の反射鏡
１５…ビームスプリッター
１６…第二の反射鏡
１７…スプリッター回転部
１８…駆動部
２０…偽造検出装置
２１…パーソナルコンピュータ（ＰＣ）
２２…レーザ光源
２３…シャッター
２４…反射鏡
２５…駆動部
２６…拡大レンズ
２７…ＣＣＤ撮像器
３０…ホログラム記録体
３１…ドット領域
Ｄ０…暗号データ
Ｄ１１，Ｄ１２…基準画像データ
Ｄ１３…画像データ
Ｄ２１…検出した角度
Ｄ２２…本来の角度
Ｄ２３…復号データ
Ｄ２４…暗号データ
Ｌ１…レーザ光線
Ｌ１ａ…透過光
Ｌ１ｂ…反射光
Ｌ２…走査用レーザ光線
Ｍ１…記録媒体
Ｍ１ａ…照射部位
Ｐ０…基準パターン
Ｐ１…形成パターン
Ｒ１〜Ｒ６，Ｒ１３…ドット領域
Ｒ１１，Ｒ１２…位置決め用ドット領域
【図１】
2004086098.tif 000003
【図２】
2004086098.tif 000004
【図３】
2004086098.tif 000005
【図４】
2004086098.tif 000006
【図５】
2004086098.tif 000007
【図６】
2004086098.tif 000008
【図７】
2004086098.tif 000009
【図８】
2004086098.tif 000010
【図９】
2004086098.tif 000011
【図１０】
2004086098.tif 000012
【図１１】
2004086098.tif 000013
【図１２】
2004086098.tif 000014
【図１３】
2004086098.tif 000015